(57)【要約】【課題】被収容物の出し入れが容易で、かつ優れた強度を有する物品収容部を備えた椅子を提供する。【解決手段】椅子１は、着座者が着座する座１０と、座１０の右側方に設けられる物品収容部３１と、回動軸Ｐ回りに座１０を回動可能に支持する回動支持部５０Ｂと、を備える。物品収容部３１は、左右方向に並んで設けられて間に収容空間Ｓを形成する、座１０側に位置する右側板３３Ａ、および座１０とは反対側に位置する左側板３３Ｂと、収容空間Ｓの前側に形成される開口部３２と、を備える。回動軸Ｐは、物品収容部３１の前後幅内に配置され、左側板３３Ｂの前端縁は、右側板３３Ａの前端縁よりも前後方向において後側に位置し、かつ回動軸Ｐよりも前側に位置している。【選択図】図１
2016195677.tif 000002
【特許請求の範囲】
【請求項１】
着座者が着座する座と、
前記座の幅方向における側方に設けられる物品収容部と、
前記幅方向に沿うように設けられた回動軸回りに前記座を回動可能に支持する回動支持部と、
を備え、
前記物品収容部は、
前記幅方向に並んで設けられて間に収容空間を形成する、前記座側に位置する内側板、および前記座とは反対側に位置する外側板と、
前記幅方向に直交する奥行方向において前記収容空間の前側に形成される開口部と、
を備え、
前記回動軸は、前記奥行方向において前記物品収容部の前後幅内に配置され、
前記内側板の前記開口部側の端部は、前記外側板の前記開口部側の端部よりも、前記奥行方向において後側に位置し、かつ前記回動軸よりも前側に位置している、椅子。
【請求項２】
当該椅子は、前記幅方向に複数並んで設けられ、
前記座の前記幅方向の一側方のみに前記物品収容部が設けられる、請求項１に記載の椅子。
【請求項３】
前記物品収容部は、前記内側板および前記外側板をこれらの上部において連結する上部連結部を備える、請求項１または２に記載の椅子。
【請求項４】
前記物品収容部は、前記内側板および前記外側板をこれらの下部において連結する下部連結部を備える、請求項１から３のいずれか１項に記載の椅子。
【請求項５】
前記下部連結部は、床面に載置されている、請求項４に記載の椅子。
【請求項６】
前記回動支持部は、前記内側板に設けられる、請求項１から５のいずれか１項に記載の椅子。
【請求項７】
前記内側板および前記外側板のうち少なくとも一方の外側面には、化粧カバー部材が配置されている、請求項１から６のいずれか１項に記載の椅子。
【請求項８】
前記座は、着座面が上方を向く使用状態と、前記着座面が後方を向く不使用状態と、の間で前記回動軸回りに回動可能とされ、
前記不使用状態における前記座の前記着座面と反対側の底面が、前記内側板の前記開口部側の端部に前記幅方向から見て沿うように位置する、請求項１から７のいずれか１項に記載の椅子。
【発明の詳細な説明】
【技術分野】
【０００１】
本発明は、椅子に関するものである。
【背景技術】
【０００２】
従来、座の幅方向の側方に箱状の物品収容部が設けられた椅子が知られている。例えば、特許文献１には、椅子の一側部に固設された支持体に沿ってメモ台を出し入れ可能に収納しておくようにした物品収容部を備えた椅子が記載されている。物品収容部の収容空間は、椅子の幅方向に並んで設けられた一対の側板間に形成され、椅子の奥行方向における前側が開口している。一対の側板は、椅子の奥行方向の長さが略同一となるように形成されている。
【０００３】
また、特許文献２には、肘掛の下方に荷物を収容する物品収容部を設けた椅子が記載されている。物品収容部は、椅子の幅方向外側に配設された側板と、側板の上端部から内側に向かって配設された肘掛と、側板の下端部から内側に向かって配設された底板と、により構成され、椅子の幅方向内側に向かって開口したコの字状に形成されている。
【先行技術文献】
【特許文献】
【０００４】
【特許文献１】特許第２７８３９９４号公報
【特許文献２】特開平１１−０７５９９４号公報
【発明の概要】
【発明が解決しようとする課題】
【０００５】
しかしながら、特許文献１に記載の椅子においては、収容空間が椅子の奥行方向に沿って略同一の長さに形成された一対の側板間に形成されているので、収容空間の前方の開口部は狭く、かつ前方にのみ開口している。このため、座に着座した着座者は、収容空間へ被収容物を出し入れする際に、被収容物を保持している手を収容空間の前方に回さなければならない。よって、収容空間への被収容物の出し入れのし易さに難がある。
【０００６】
上記特許文献１に記載の椅子に対して、特許文献２に記載の椅子は、物品収容部が椅子の幅方向内側に向かって、奥行方向に沿って広く開口しているため、収容空間への被収容物の出し入れを容易に行うことができる。しかも、特許文献２に記載の椅子は、物品収容部が椅子の幅方向内側に向かって開口しているため、物品収容部を挟んだ両側の座に着座する着座者のうちいずれの着座者向けの収容空間であるか判断が容易に付く。しかしながら、肘掛が側板により片持ち支持された状態であるため、肘掛に作用する荷重に対する強度が不十分となるおそれがある。
【０００７】
そこで本発明は、被収容物の出し入れが容易で、かつ優れた強度を有する物品収容部を備えた椅子を提供するものである。
【課題を解決するための手段】
【０００８】
本発明の椅子は、着座者が着座する座と、前記座の幅方向における側方に設けられる物品収容部と、前記幅方向に沿うように設けられた回動軸回りに前記座を回動可能に支持する回動支持部と、を備え、前記物品収容部は、前記幅方向に並んで設けられて間に収容空間を形成する、前記座側に位置する内側板、および前記座とは反対側に位置する外側板と、前記幅方向に直交する奥行方向において前記収容空間の前側に形成される開口部と、を備え、前記回動軸は、前記奥行方向において前記物品収容部の前後幅内に配置され、前記内側板の前記開口部側の端部は、前記外側板の前記開口部側の端部よりも、前記奥行方向において後側に位置し、かつ前記回動軸よりも前側に位置している。
本発明によれば、内側板の開口部側の端部が、外側板の開口部側の端部よりも後側に位置しているため、開口部における内側板の端部と外側板の端部との間の仮想面を、奥行方向に直交する面に対して座側に向かって傾斜させることができる。このため、内側板の開口部側の端部と外側板の開口部側の端部とが奥行方向において同じ位置に設けられている構成と比較して、座の前方から見た開口部の幅を広く設けつつ、開口部を座に向けることができる。これにより、収容空間への被収容物の出し入れを、座の前方から収容空間の開口部に向かう、奥行方向に対して傾斜した方向に沿ってスムーズに行うことが可能となる。よって、座に着座した着座者は、収容空間への被収容物の収容、および収容空間からの被収容物の取り出しを容易に行うことができる。しかも、物品収容部は、内側板および外側板を備えるため、内側板を備えない構成と比較して、物品収容部の上部に上方から下方に向けて作用する荷重に対する強度を向上させることができる。さらに、内側板の開口部側の端部は、回動軸よりも前側に位置しているため、回動支持部を支持する部材として内側板を使用する際に、回動支持部を内側板の前後幅内で支持できるので、強度を確保したうえで回動支持部を支持できる。したがって、被収容物の出し入れが容易で、かつ優れた強度を有する物品収容部を備えた椅子とすることができる。
また、収容空間の開口部の幅が広く設けられるため、収容空間へ手を入れやすくなる。これにより、収容空間内の清掃作業を効率よく行うことが可能となる。
【０００９】
上記の椅子において、当該椅子は、前記幅方向に複数並んで設けられ、前記座の前記幅方向の一側方のみに前記物品収容部が設けられる、ことが望ましい。
本発明によれば、物品収容部が座の幅方向の一側方のみに設けられるため、並んで設けられた各椅子に着座する着座者には、物品収容部を１個ずつ分配することができる。この際、一の椅子の座と、一の椅子の他側方に設けられた他の椅子の座と、の間には、他の椅子の物品収容部が設けられるが、他の椅子の物品収容部の収容空間は、開口部を他の椅子の座側に向けている。このため、一の椅子に着座する着座者は、他の椅子の物品収容部の収容空間が他の椅子に着座する着座者が占有する収容空間であると判断できる。したがって、各椅子に着座する着座者に対して、占有できる収容空間を容易に区別させることができる。
【００１０】
上記の椅子において、前記物品収容部は、前記内側板および前記外側板をこれらの上部において連結する上部連結部を備える、ことが望ましい。
本発明によれば、内側板および外側板をこれらの上部において連結する上部連結部を有するため、上部連結部を肘掛として使用する際に、上部連結部に作用する荷重を一対の側板で受けることができる。したがって、優れた強度を有する物品収容部が得られる。
【００１１】
上記の椅子において、前記物品収容部は、前記内側板および前記外側板をこれらの下部において連結する下部連結部を備える、ことが望ましい。
本発明によれば、物品収容部は、下部連結部を備えるため、被収容物を下部連結部上に載置することができる。したがって、被収容物を床面上に載置することなく、収容空間に収容することが可能な物品収容部が得られる。
【００１２】
上記の椅子において、前記下部連結部は、床面に載置されている、ことが望ましい。
本発明によれば、下部連結部が床面に載置されているため、物品収容部を床面に自立させることができる。したがって、物品収容部に作用する荷重に対する強度を向上させることができる。
【００１３】
上記の椅子において、前記回動支持部は、前記内側板に設けられる、ことが望ましい。
本発明によれば、回動支持部を内側板に設けるため、別途複雑な構造を設けることなく、座を支持することができる。しかも、内側板の開口部側の端部は、回動軸よりも前方に位置しているため、回動支持部を内側板の前後幅内で支持できる。したがって、強度を確保したうえで座を支持することができる。
【００１４】
上記の椅子において、前記内側板および前記外側板のうち少なくとも一方の外側面には、化粧カバー部材が配置されている、ことが望ましい。
本発明によれば、内側板および外側板のうち少なくとも一方の外側面に化粧カバー部材が配置されるため、内側板および外側板を強固な鋼板等により形成した場合でも、外観が損なわれることを防止できる。したがって、意匠性に優れた椅子とすることができる。
【００１５】
上記の椅子において、前記座は、着座面が上方を向く使用状態と、前記着座面が後方を向く不使用状態と、の間で前記回動軸回りに回動可能とされ、前記不使用状態における前記座の前記着座面と反対側の底面が、前記内側板の前記開口部側の端部に前記幅方向から見て沿うように位置する、ことが望ましい。
本発明によれば、不使用状態における座の底面が、内側板の開口部側の端部に沿うように位置するため、不使用状態にある座が収容空間の開口部を塞ぐことを防止できる。これにより、座に着座する前の着座者が収容空間への被収容物の出し入れを容易に行うことが可能となる。
【発明の効果】
【００１６】
本発明によれば、被収容物の出し入れが容易で、かつ優れた強度を有する物品収容部を備えた椅子が得られる。
【図面の簡単な説明】
【００１７】
【図１】本発明の実施形態における連結された椅子の斜視図である。
【図２】前記椅子の物品収容部を左側から見た斜視図である。
【図３】前記物品収容部を右側から見た斜視図である。
【図４】前記物品収容部を左側から見た分解斜視図である。
【図５】前記椅子の幅方向中心において幅方向に直交する面における断面図である。
【図６】前記椅子の回動支持部の側面図である。
【発明を実施するための形態】
【００１８】
以下、本発明の実施形態を図面に基づいて説明する。
本実施形態に係る椅子１は、劇場や講堂、待合室等において連結して設置される連結椅子である。なお、以下の説明において、前後、左右、上下の各呼称は、座に着座した着座者が正規姿勢で着座したときにおける着座者を基準とした向きである。また、以下の説明では、正規姿勢で着座した着座者の「前方」を図中矢印ＦＲで示し、「上方」を図中矢印ＵＰで示し、「左方」を図中矢印ＬＨで示す。
【００１９】
図１は、本実施形態における連結された椅子の斜視図である。
図１に示すように、椅子１は、建物の床面Ｆに固定されている。図１に示す例では、椅子１は左右方向に複数並んだ状態で連結されている。椅子１は、着座者が着座する座１０と、座１０の後方から上方に向かって起立するように設けられた背凭れ２０と、座１０の幅方向（左右方向）の側方に設けられた脚体３０と、を備える。さらに、椅子１は、着座面１０ａが上方を向くことで着座者が着座可能となる使用状態（図１における左から２番目の椅子１Ｂの座１０の状態。）と、着座面１０ａが後方を向く不使用状態（図１における最も左の椅子１Ａの座１０の状態。）と、の間で相互に移行可能となるように、左右方向に沿う回動軸Ｐ回りに座１０を回動可能に支持する回動支持部５０Ａ，５０Ｂ（図３参照）を備える。
【００２０】
各椅子１の座１０の左右いずれかの側方（本実施形態では右側方）に設けられた脚体３０は、各椅子１が有する物品収容部３１となっている。すなわち、本実施形態では、左右方向に複数連結された椅子１の脚体３０のうち、最も左側に設けられた脚体３０Ａを除いた全ての脚体３０が物品収容部３１となっている。
【００２１】
図２は、物品収容部を左側から見た斜視図である。図３は、物品収容部を右側から見た斜視図である。図４は、物品収容部を左側から見た分解斜視図である。
図２に示すように、物品収容部３１は、座１０（図１参照）に着座する着座者がカバン等の被収容物を収容するための収容空間Ｓを内側に備えた箱状に形成されている。物品収容部３１は、左右方向に並んで設けられて間に収容空間Ｓを形成する一対の側板３３と、一対の側板３３同士をこれらの上部において連結する肘掛３９（請求項の「上部連結部」に相当。）と、一対の側板３３同士をこれらの下部において連結する脚部４１（請求項の「下部連結部」に相当。）と、一対の側板３３の後端縁同士の間を塞ぐ後部閉塞板（不図示）と、を有している。
【００２２】
一対の側板３３は、左右方向外側（座１０とは反対側。本実施形態では右側。）に設けられた右側板３３Ａ（請求項の「外側板」に相当。）と、左右方向内側（座１０側。本実施形態では左側）に設けられた左側板３３Ｂ（請求項の「内側板」に相当。）と、を含んでいる。
図３に示すように、右側板３３Ａは、例えばステンレス鋼等の金属材料により、左右方向から見て下辺側が狭い逆台形状に形成されている。右側板３３Ａは、左右方向から見て、上端縁３３Ａａと下端縁３３Ａｂとが平行となるように形成されている。また、右側板３３Ａは、左右方向から見て前端縁３３Ａｃが上下方向に沿うとともに、後端縁３３Ａｄが下端部から上端部に向かうにしたがい後方に向かって傾斜するように形成されている。
【００２３】
右側板３３Ａの外側（右側）の面には、回動支持部５０Ａが設けられている。また、右側板３３Ａの後方上部の角部には、取付金具３６Ａが固定されている。取付金具３６Ａは、例えば右側板３３Ａと同じ材料により、板状に形成されている。取付金具３６Ａは、右側板３３Ａの外側の面に沿って配置される側面部３６Ａａと、右側板３３Ａの後端縁３３Ａｄに対応する位置から右方に向かって延びるように屈曲する後面部３６Ａｂと、を有する。側面部３６Ａａは、右側板３３Ａに例えば溶接等により固定されている。後面部３６Ａｂには、背凭れ２０（図１参照）が固定される。
【００２４】
図３および図４に示すように、右側板３３Ａの外側の面には、化粧カバー部材３４Ａが配置されている。化粧カバー部材３４Ａは、例えば合板の表面にファブリックが貼付されたものである。化粧カバー部材３４Ａは、左右方向から見て、右側板３３Ａと同等の形状に形成されている。化粧カバー部材３４Ａには、右側板３３Ａに設けられた回動支持部５０Ａに対応する位置に孔３４Ａａが設けられている。また、化粧カバー部材３４Ａには、取付金具３６Ａに対応する位置に切欠３４Ａｂが形成されている。化粧カバー部材３４Ａは、孔３４Ａａおよび切欠３４Ａｂにより回動支持部５０Ａおよび取付金具３６Ａを避けた状態で、面ファスナー等を介して右側板３３Ａに取り付けられている。
【００２５】
図２に示すように、左側板３３Ｂは、例えばステンレス鋼等の金属材料により、左右方向から見て下辺側が狭い逆台形状に形成されている。左側板３３Ｂは、左右方向から見て、上端縁３３Ｂａと下端縁３３Ｂｂとが平行となるように形成されている。また、左側板３３Ｂは、左右方向から見て、前端縁３３Ｂｃが上下方向に沿うとともに、後端縁３３Ｂｄが下端部から上端部に向かうにしたがい後方に向かって傾斜するように形成されている。左側板３３Ｂの上端縁３３Ｂａの上下方向における位置は、右側板３３Ａの上端縁３３Ａａ（図３参照）の上下方向における位置と略一致している。左側板３３Ｂの後端縁３３Ｂｄは、左右方向から見て、右側板３３Ａの後端縁３３Ａｄ（図３参照）と寸法および位置が略一致するように形成されている。また、左側板３３Ｂの前端縁３３Ｂｃは、左右方向から見て、右側板３３Ａの前端縁３３Ａｃよりも、前後方向（奥行方向）において後側に位置し、かつ回動軸Ｐよりも前側に位置するように形成されている。
【００２６】
左側板３３Ｂの外側（左側）の面には、回動支持部５０Ｂが設けられている。また、左側板３３Ｂの後方上部の角部には、取付金具３６Ｂが固定されている。取付金具３６Ｂは、例えば左側板３３Ｂと同じ材料により、板状に形成されている。取付金具３６Ｂは、左側板３３Ｂの外側の面に沿って配置される側面部３６Ｂａと、左側板３３Ｂの後端縁３３Ｂｄに対応する位置から左方に向かって延びるように屈曲する後面部３６Ｂｂと、を有する。側面部３６Ｂａは、左側板３３Ｂに例えば溶接等により固定されている。後面部３６Ｂｂには、背凭れ２０が固定される。
【００２７】
図２および図４に示すように、左側板３３Ｂの外側の面には、化粧カバー部材３４Ｂが配置されている。化粧カバー部材３４Ｂは、化粧カバー部材３４Ａと同様に、例えば合板の表面にファブリックが貼付されたものである。化粧カバー部材３４Ｂは、左右方向から見て、左側板３３Ｂと同等の形状に形成されている。化粧カバー部材３４Ｂには、左側板３３Ｂに設けられた回動支持部５０Ｂに対応する位置に孔３４Ｂａが設けられている。また、化粧カバー部材３４Ｂには、取付金具３６Ｂに対応する位置に切欠３４Ｂｂが形成されている。化粧カバー部材３４Ｂは、孔３４Ｂａおよび切欠３４Ｂｂにより回動支持部５０Ｂおよび取付金具３６Ｂを避けた状態で、面ファスナー等を介して左側板３３Ｂに取り付けられている。
【００２８】
図２および図３に示すように、肘掛３９は、例えば木材等により、前後方向に長い矩形板状に形成されている。肘掛３９の左右方向の幅寸法は、右側板３３Ａと左側板３３Ｂとの離間距離と同等になっている。肘掛３９の前後方向の長さ寸法は、右側板３３Ａの上端縁３３Ａａの前後方向における寸法と同等となっている。肘掛３９は、右側板３３Ａの上端縁３３Ａａの全体、および左側板３３Ｂの上端縁３３Ｂａの全体と接続している。
【００２９】
脚部４１は、例えばステンレス鋼等の金属材料により、前後方向に長い直方体状に形成されている。脚部４１の左右方向の幅寸法は、右側板３３Ａと左側板３３Ｂとの離間距離と同等となっている。脚部４１の前後方向の長さ寸法は、右側板３３Ａの下端縁３３Ａｂの前後方向における寸法と同等となっている。脚部４１の上面には、底板４２が配置されている。底板４２は、例えば木材等により、矩形板状に形成されている。底板４２は、上下方向から見て、脚部４１と略同一の形状に形成されている。底板４２は、脚部４１の上面全体を覆っている。脚部４１は、床面Ｆに載置され、不図示のアンカーボルト等によって床面Ｆに対して固定されている。
【００３０】
図２に示すように、収容空間Ｓは、右側板３３Ａ、左側板３３Ｂ、肘掛３９および脚部４１（底板４２）の間に形成されている。右側板３３Ａの前端縁３３Ａｃと左側板３３Ｂの前端縁３３Ｂｃとの間は、前方に開口する収容空間Ｓの開口部３２とされている。
【００３１】
図１に示すように、脚体３０のうち、最も左側に設けられた脚体３０Ａは、物品収容部３１における開口部３２を閉塞した構成となっている。具体的に、脚体３０Ａは、左右方向に並んで設けられる右側板３３Ａおよび左側板３３Ｃと、一対の側板３３Ａ，３３Ｃ同士をこれらの上部において連結する肘掛３９と、一対の側板３３Ａ，３３Ｃ同士をこれらの下部において連結する脚部４１と、一対の側板３３Ａ，３３Ｃの後端縁同士の間を塞ぐ後部閉塞板（不図示）と、一対の側板３３Ａ，３３Ｃの前端縁同士の間を塞ぐ前部閉塞板３５と、を有している。左側板３３Ｃは、例えばステンレス鋼等の金属材料により、左右方向から見て、右側板３３Ａと同等の形状に形成されている。前部閉塞板３５は、例えばステンレス鋼等の金属材料により、上下方向に長い矩形板状に形成されている。右側板３３Ａおよび前部閉塞板３５の表面は、それぞれ化粧カバー部材３４Ｃ，３４Ｄにより覆われている。化粧カバー部材３４Ｃ，３４Ｄは、化粧カバー部材３４Ａ，３４Ｂと同様に、例えば合板の表面にファブリックが貼付されたものである。化粧カバー部材３４Ｃ，３４Ｄは、面ファスナー等を介して左側板３３Ｃおよび前部閉塞板３５にそれぞれ取り付けられている。
【００３２】
図５は、椅子の幅方向中心において幅方向に直交する面における断面図である。
図５に示すように、座１０は、着座面１０ａを形成する座クッション１１と、座クッション１１を支持する不図示の座フレームと、座フレームにおける着座面１０ａとは反対側の裏面を覆う裏面パネル１３と、を有する。座クッション１１は、クッション材を表皮１１ａで覆った構成を有する。着座面１０ａとは反対側に位置する裏面パネル１３の底面１３ａは、不使用状態（図５における２点鎖線で示す状態。）において、左側板３３Ｂの前端縁３３Ｂｃに左右方向から見て沿うように設けられている。
【００３３】
座１０には、支持軸１５が取り付けられている。支持軸１５は、例えば金属材料により、角筒状に形成されている。支持軸１５は、左右方向に沿うように配置され、座１０を左右方向に貫通している。支持軸１５は、使用状態の座１０（図５における実線で示す状態。）の後側にある基端部１０ｂにおいて、座フレームに対して回動軸Ｐ回りに回動可能となるように、座フレームを支持している。回動軸Ｐは、支持軸１５の中心軸と一致している。支持軸１５の周囲には、支持軸１５に対して座フレームを所定方向に付勢することで、座１０を不使用状態の位置へ跳ね上げるように回動させる不図示の座付勢機構が設けられる。支持軸１５の右側端部は、座１０の右側に配置された脚体３０（物品収容部３１）の左側板３３Ｂに設けられた回動支持部５０Ｂに固定されている。支持軸１５の左側端部は、座１０の左側に配置された脚体３０の右側板３３Ａに設けられた回動支持部５０Ａ（図３参照）に固定されている。
【００３４】
図２および図３に示すように、回動支持部５０Ａ，５０Ｂは、それぞれ物品収容部３１の一対の側板３３Ａ，３３Ｂ各々の収容空間Ｓとは反対側の面に、図示しないネジ等の固定手段により固定されている。なお、回動支持部５０Ａと回動支持部５０Ｂとは、左右方向に直交する仮想面に対して面対称に形成されている。このため、以下の回動支持部５０Ａ，５０Ｂの説明では、特に記載のない限り、左側板３３Ｂに設けられた回動支持部５０Ｂについて説明する。
【００３５】
図６は、回動支持部の側面図である。
図６に示すように、回動支持部５０Ｂは、左側板３３Ｂから左方に向かって延びている。回動支持部５０Ｂは、支持軸１５を支持する支持壁５０ａ と、支持壁５０ａの後部から上方に向かって折曲された後部壁５０ｂと、を有している。さらに、回動支持部５０Ｂは、後部壁５０ｂの上部から前方に向かって折曲された上部壁５０ｃと、支持壁５０ａの前部から上方に向かって折曲された前部壁５０ｄと、を有している。上部壁５０ｃは、前方から後方に向かうにしたがって次第に支持壁５０ａに近接するように下方に向かって形成されている。上部壁５０ｃの前部と前部壁５０ｄの上部との間は、前方に開口する開口５１とされている。
【００３６】
回動支持部５０Ｂの内側には、上述の支持軸１５の右側端部が配置されている。支持軸１５は、開口５１を前方から後方に向かって挿通され、支持壁５０ａの上面に接するように配置されている。
上部壁５０ｃと支持軸１５との間には、規制部材５５が配置されている。規制部材５５は、左右方向から見て、前方から後方に向かうにしたがい上下方向における幅寸法が次第に縮幅するくさび形のブロック状に形成されている。規制部材５５は、開口５１を前方から後方に向かって挿通されている。規制部材５５は、上部壁５０ｃの下面と、支持軸１５の上面と、に当接した状態で、ボルト等の締結部材５７により後部壁５０ｂに対して締結固定されている。これにより、支持軸１５の回動支持部５０Ｂからの脱落を規制している。
【００３７】
図５に示すように、背凭れ２０は、座１０の後部の上方に起立する背凭れ面２０ａを形成する背クッション２１と、背クッション２１を後方から支持する背ベース板２４と、を備える。背クッション２１は、クッション材を表皮２１ａで覆った構成を有する。背クッション２１は、着座者の腰部を後方から支持し易いように、背凭れ面２０ａの上下中間部よりも下側の高さとなる位置を前方に凸の頂部２２とするように形成されている。頂部２２は、物品収容部３１の上端よりも下方に設けられる。
【００３８】
背凭れ面２０ａにおける頂部２２よりも上方の範囲は、上方に向かうにしたがって後方に傾いている。背凭れ面２０ａにおける頂部２２よりも下方の範囲は、下方に向かうにしたがって後方に傾いている。背ベース板２４は、前後方向に直交する鉛直面に対して後傾した平面に沿う平板状をなし、前後方向から見て上下に長い長方形状に形成されている。背ベース板２４の左側部は、背凭れ２０の左側に配置された脚体３０の右側板３３Ａに設けられた取付金具３６Ａの後面部３６Ａｂ（図３参照）に対して、ボルト等の締結部材により締結固定されている。背ベース板２４の右側部は、背凭れ２０の右側に配置された脚体３０（物品収容部３１）の左側板３３Ｂに設けられた取付金具３６Ｂの後面部３６Ｂｂ（図２参照）に対して、ボルト等の締結部材により締結固定されている。背ベース板２４の下端は、物品収容部３１の脚部４１の上部と同等の高さに設けられている。背クッション２１の下端は、背ベース板２４の下端より上方でかつ、使用状態にある座１０の着座面１０ａの後端近傍に設けられている。
【００３９】
以上説明したように、本実施形態１の椅子１は、着座者が着座する座１０と、座１０の右側方に設けられる物品収容部３１と、回動軸Ｐ回りに座１０を回動可能に支持する回動支持部５０Ａ，５０Ｂと、を備える。物品収容部３１は、左右方向に並んで設けられて間に収容空間Ｓを形成する、座１０側に位置する右側板３３Ａ、および座１０とは反対側に位置する左側板３３Ｂと、収容空間Ｓの前側に形成される開口部３２と、を備える。回動軸Ｐは、物品収容部３１の前後幅内に配置され、左側板３３Ｂの前端縁３３Ｂｃ（開口部３２側の端部）は、右側板３３Ａの前端縁３３Ａｃ（開口部３２側の端部）よりも前後方向において後側に位置し、かつ回動軸Ｐよりも前側に位置している。
【００４０】
この構成によれば、左側板３３Ｂの前端縁３３Ｂｃが、右側板３３Ａの前端縁３３Ａｃよりも後側に位置しているため、開口部３２における左側板３３Ｂの前端縁３３Ｂｃと右側板３３Ａの前端縁３３Ａｃとの間の仮想面を、前後方向に直交する面に対して座１０側に向かって傾斜させることができる。このため、左側板の前端縁と右側板の前端縁とが前後方向において同じ位置に設けられている構成と比較して、座１０の前方から見た開口部３２の幅を広く設けつつ、開口部３２を座１０側に向けることができる。これにより、収容空間Ｓへの被収容物の出し入れを、座１０の前方から収容空間Ｓの開口部３２に向かう、前後方向に対して傾斜した方向に沿ってスムーズに行うことが可能となる。よって、座１０に着座した着座者は、収容空間Ｓへの被収容物の収容、および収容空間Ｓからの被収容物の取り出しを容易に行うことができる。しかも、物品収容部３１は、右側板３３Ａおよび左側板３３Ｂを備えるため、左側板３３Ｂを備えない構成と比較して、物品収容部３１の上部に上方から下方に向けて作用する荷重に対する強度を向上させることができる。さらに、左側板３３Ｂの前端縁３３Ｂｃは、回動軸Ｐよりも前側に位置しているため、回動支持部５０Ｂを支持する部材として左側板３３Ｂを使用する際に、回動支持部５０Ｂを左側板３３Ｂの前後幅内で支持できるので、強度を確保したうえで回動支持部５０Ｂを支持できる。したがって、被収容物の出し入れが容易で、かつ優れた強度を有する物品収容部３１を備えた椅子１とすることができる。
また、収容空間Ｓの開口部３２の幅が広く設けられるため、収容空間Ｓへ手を入れやすくなる。これにより、収容空間Ｓ内の清掃作業を効率よく行うことが可能となる。
【００４１】
また、回動軸Ｐの前後方向における位置を左側板３３Ｂの前端縁３３Ｂｃよりも後方とすることで、使用状態において座１０の後側に位置する基端部１０ｂを支持軸１５に支持させることができる。これにより、着座者が着座した際の座１０に対する荷重位置を、回動軸Ｐよりも前方とすることができる。このため、着座者が座１０に着座した際に、座１０の後部が沈み込むように、座１０が不使用状態の位置に向かって回動することを防止できる。したがって、座り心地の優れた椅子１とすることができる。
【００４２】
また、物品収容部３１が座１０の左右いずれかの側方（本実施形態では右側方）のみに設けられるため、並んで設けられた各椅子１に着座する着座者には、物品収容部３１を１個ずつ分配することができる。この際、一の椅子１（例えば椅子１Ｂ）の座１０と、一の椅子１の左側方に設けられた他の椅子１（例えば椅子１Ａ）の座１０と、の間には、他の椅子１の物品収容部３１が設けられるが、他の椅子１の物品収容部３１の収容空間Ｓは、開口部３２を他の椅子１の座１０側に向けている。このため、一の椅子１に着座する着座者は、他の椅子１の物品収容部３１の収容空間Ｓが他の椅子１に着座する着座者が占有する収容空間Ｓであると判断できる。したがって、各椅子１に着座する着座者に対して、占有できる収容空間Ｓを容易に区別させることができる。
【００４３】
また、物品収容部３１は、右側板３３Ａおよび左側板３３Ｂをこれらの上部において連結する肘掛３９を有するため、肘掛３９に作用する荷重を一対の側板３３で受けることができる。
また、物品収容部３１は、脚部４１を備えるため、被収容物を脚部４１（底板４２）上に載置することができる。したがって、被収容物を床面Ｆ上に載置することなく、収容空間Ｓに収容することができる。
さらに、脚部４１が床面Ｆに載置されているため、物品収容部３１を床面Ｆに自立させることができる。したがって、物品収容部３１に作用する荷重に対する強度を向上させることができる。
【００４４】
また、回動支持部５０Ｂが左側板３３Ｂに設けられているため、別途複雑な構造を設けることなく、座１０を支持することができる。しかも、左側板３３Ｂの前端縁３３Ｂｃは、回動軸Ｐよりも前方に位置しているため、回動支持部５０Ｂを左側板３３Ｂの前後幅内で支持できる。したがって、強度を確保したうえで座１０を支持することができる。
さらに、回動支持部５０Ａが右側板３３Ａに設けられているため、椅子１が左右方向に複数連結される場合に、右側方に配置された隣り合う椅子１の座１０を右側板３３Ａで支持することができる。したがって、椅子１が左右方向に複数連結される場合においても、別途複雑な構造を設けることなく、座１０を支持することができる。
【００４５】
また、右側板３３Ａおよび左側板３３Ｂの外側面に化粧カバー部材３４Ａ，３４Ｂが配置されるため、右側板３３Ａおよび左側板３３Ｂを強固な鋼板等により形成した場合でも、外観が損なわれることを防止できる。したがって、意匠性に優れた椅子１とすることができる。
【００４６】
また、不使用状態における座１０の裏面パネル１３の底面１３ａが、左側板３３Ｂの前端縁３３Ｂｃに沿うように位置するため、不使用状態にある座１０が収容空間Ｓの開口部３２を塞ぐことを防止できる。これにより、座１０に着座する前の着座者が収容空間Ｓへの被収容物の出し入れを容易に行うことが可能となる。
【００４７】
なお、本発明は、図面を参照して説明した上述の実施形態に限定されるものではなく、その技術的範囲において様々な変形例が考えられる。
例えば、上記実施形態においては、椅子１は複数並んだ状態で互いに連結されていたが、これに限定されず、椅子１は単体で使用されてもよい。
【００４８】
また、上記実施形態においては、物品収容部３１は、床面Ｆに自立していたが、これに限定されるものではない。例えば、物品収容部は、別途床面Ｆに設置された脚の機能を有する支持構造体に、床面Ｆから浮いた状態で支持される構成であってもよい。このとき、座や背凭れ等も支持構造体に支持されてもよい。
【００４９】
また、上記実施形態において、不使用状態における座１０の裏面パネル１３の底面１３ａは、左側板３３Ｂの前端縁３３Ｂｃに沿うように設けられていたが、より好ましくは左側板３３Ｂの前端縁３３Ｂｃよりも後方に位置することが望ましい。これにより、座の不使用状態において、開口部３２全体を開いた状態とすることができるので、座に着座する前の着座者が収容空間Ｓへの被収容物の出し入れをより容易に行うことが可能となる。
【００５０】
また、上記実施形態においては、収容空間Ｓに収容される被収容物として、椅子１から切り離された物品であるカバンを例に挙げたが、これに限定されず、被収容物は椅子１に取り付けられた物品であってもよい。具体的には、例えば収容空間Ｓに対して出し入れ自在となるように物品収容部３１に取り付けられたメモ台等であってもよい。この場合であっても、着座者は手を収容空間Ｓの前方に回すことなく被収容物を把持できるため、被収容物の出し入れを容易に行うことができる。
【００５１】
その他、本発明の趣旨を逸脱しない範囲で、上記した実施の形態における構成要素を周知の構成要素に置き換えることは適宜可能である。
【符号の説明】
【００５２】
１…椅子  １０…座  １３ａ…裏面パネルの底面（底面）  ３１…物品収容部  ３２…開口部  ３３Ａ…右側板（外側板）  ３３Ａｃ…右側板の前端縁（外側板の開口部側の端部）  ３３Ｂ…左側板（内側板）  ３３Ｂｃ…左側板の前端縁（内側板の開口部側の端部）  ３４Ａ，３４Ｂ…化粧カバー部材  ３９…肘掛（上部連結部）  ４１…脚部（下部連結部）  ５０Ａ，５０Ｂ…回動支持部  Ｆ…床面  Ｐ…回動軸  Ｓ…収容空間
【図１】
2016195677.tif 000003
【図２】
2016195677.tif 000004
【図３】
2016195677.tif 000005
【図４】
2016195677.tif 000006
【図５】
2016195677.tif 000007
【図６】
2016195677.tif 000008